(57)【要約】【課題】  アンテナで受信した放送信号と変調信号とを混合して出力するが、変調信号がアンテナから放射されることを簡単な構成で防止し、かつ設置工事を容易にする。【解決手段】  ブースタ２は、増幅器４を有し、アンテナ６で受信したテレビジョン放送信号を入力して増幅する。増幅器４の出力側に混合器８が設けられている。混合器８は、変調信号と増幅器４の出力信号とを合成して、出力する。変調信号は、ビデオカメラ１８、ＶＴＲまたはＤＶＤプレーヤ２０からのベースバンド信号で高周波搬送波信号を変調信号生成器１７で変調したものである。【選択図】        図１
2007166236.tif 000002
【特許請求の範囲】
【請求項１】
アンテナで受信した放送信号を入力して増幅する増幅手段と、
この増幅手段の出力側に設けられ、ベースバンド信号で高周波搬送波信号を変調した変調信号と、前記増幅手段の出力信号とを、合成して出力する混合手段とを、
具備するブースタ。
【請求項２】
請求項１記載のブースタにおいて、前記増幅手段と前記混合手段とが、１つの筐体内に収容されているブースタ。
【請求項３】
請求項１または２記載のブースタにおいて、前記混合手段の出力信号を増幅する別の増幅手段が設けられているブースタ。
【発明の詳細な説明】
【技術分野】
【０００１】
本発明は、アンテナで受信された、テレビジョン放送信号のような放送信号を増幅するブースタに関する。
【背景技術】
【０００２】
アンテナで受信したテレビジョン放送信号を伝送する伝送線路を利用して、ビデオカメラで撮影した映像をテレビジョン受像機で視聴することがある。この技術の一例が特許文献１に開示されている。特許文献１の技術によれば、アンテナで受信したテレビジョン放送信号を伝送するケーブルの中途に混合器を設け、インターホンのカメラからの映像信号でＵＨＦ帯の特定チャンネルの変調信号に変調器で変調し、混合器において変調信号とテレビジョン放送信号とを混合して、モニタに伝送している。
【０００３】
【特許文献１】特開平０７−５９０７６号公報
【発明の開示】
【発明が解決しようとする課題】
【０００４】
特許文献１の技術において上記変調信号をテレビジョン放送信号と混合する場合、変調信号がアンテナから放射されることを防止する必要がある。そのため、混合器は、テレビジョン放送信号が供給されているアイソレーションアンプの後段に設けることが多い。これは、アイソレーションアンプを設置したことにより、変調信号がアイソレーションアンプの出力側からアンテナ側には伝送されにくいことを利用するためである。しかし、これでは、アイソレーションアンプと混合器とを別個に用意して、それぞれ設置しなければならないので、その組立てが面倒である。しかも、アイソレーションアンプを設けただけでは、充分にアイソレーションをとれず、変調信号がアンテナから放射されることもあり、そのような場合には、アンテナとアイソレーションアンプとの間にテレビジョン放送信号を増幅し、変調信号をアンテナ側に伝送しないように、別途ブースタを設けなければならならず、益々構成が複雑になり、組立てが面倒になる。
【０００５】
本発明は、変調信号がアンテナから放射されることを簡単な構成で防止したブースタを提供することを目的とする。
【課題を解決するための手段】
【０００６】
本発明の一態様のブースタは、増幅手段を有している。この増幅手段は、アンテナで受信した放送信号、例えばテレビジョン放送信号やＦＭラジオ放送のような高周波信号を入力して増幅する。この増幅手段の出力側に混合手段が設けられている。この混合手段は、変調信号と増幅手段の出力信号とを合成して、出力する。出力先は、例えば家庭の受信手段、例えばテレビジョン受信機やＦＭラジオ受信機等とすることもできるし、共同受信システムのヘッドエンドに入力して、共同受信システムの各端末に供給することもできる。変調信号は、例えばビデオカメラ、ＶＴＲまたはＤＶＤプレーヤからのベースバンド信号で高周波搬送波信号を変調したものである。
【０００７】
このように構成されたブースタはアンテナからの伝送線路中に介在する。変調信号を放送信号と混合して伝送する場合には、このブースタの混合器に変調信号を供給する。このブースタが混合器を備えているので、通常のブースタの出力側にわざわざ混合器を設ける必要が無い。しかも、ブースタの出力側で混合しているので、変調信号がアンテナ側に伝送されることは無く、アンテナから変調信号が放射されることは無い。従って、アンテナからの放射を防止するために、変調信号のレベルを小さくする必要が無く、受信機等において良好に受信することができる。また、ブースタ単体でアイソレーションを正確に、ブースタの製造時にチェックすることが可能なため、変調信号のレベル設定が容易になる。
【０００８】
更に、増幅手段と混合手段とは、１つの筐体内に収容されていることが望ましい。また、混合手段の出力側に別の増幅手段を設けることもできる。この別の増幅手段も、１つの筐体内に収容することが望ましい。このように構成すると、変調信号を別の増幅手段によって増幅することができるので、変調器の出力レベルを低減することができ、相互変調の発生を防止することができる上に、上述したのと同様に製造時にアイソレーションを性格にチェックすることができるので、変調信号のレベル設定が容易になる。
【発明の効果】
【０００９】
以上のように、本発明によるブースタでは、アンテナで受信した放送信号を増幅することができる上に、変調信号がアンテナから放射されることを防止することができ、かつそのために必要な作業が簡単である。
【発明を実施するための最良の形態】
【００１０】
本発明の１実施形態のブースタ２は、図１に示すように、増幅手段、例えば増幅器４を有している。増幅器４には、アンテナ６で受信した放送信号、例えばＵＨＦ帯またはＶＨＦ帯のテレビジョン放送信号が供給されている。増幅器４は、このテレビジョン放送信号を増幅する。この増幅器４の出力側に混合手段、例えば混合器８が設けられている。この混合器８は、それの入力端子１０に供給された増幅器４の出力信号と、混合入力端子１２に供給された変調信号とを混合して、それの出力端子１４から出力する。混合器８としては、例えば通常の１分岐器をそのまま使用することができる。この場合、１分岐器の出力側を入力端子１０とし、分岐側を混合入力端子１２とし、入力側を出力端子１４として使用する。出力端子１４からの出力がブースタ２の出力となり、伝送線路、例えば同軸ケーブル（図示せず）を介して受信手段、例えばテレビジョン受像機（図示せず）に供給される。この増幅器４と混合器８とは、１つの筐体１６に収容されて、例えばアンテナ６の近傍に配置されている。
【００１１】
混合器８への変調信号は、変調信号生成器１７によって生成される。変調信号生成器１７は、ベースバンド信号発生手段、例えば監視用ビデオカメラ１８とＶＴＲまたはＤＶＤプレーヤ２０とを有し、これらがそれぞれ発生するベースバンド信号が、テレビ変調器２２、２４に供給される。テレビ変調器２２、２４は、互いに異なるチャンネルの搬送波信号を発生し、これら搬送波信号が、対応するビデオカメラ１８からのベースバンド信号またはＶＴＲまたはＤＶＤプレーヤ２０からのベースバンド信号によって変調されて、それぞれ変調信号を生成する。これら変調信号が、合成器２６によって合成され、混合器８の混合入力端子１２に供給される。
【００１２】
このブースタ２では、ブースタ２の混合入力端子１２に変調信号を入力するという簡単な作業のみで、変調信号とテレビジョン放送信号とを混合して、テレビジョン受像機に供給することができる。しかも、ブースタ２の混合器８は、増幅器４の出力側に設けられているので、増幅器４によって充分なアイソレーションが得られるので、変調信号がアンテナ６から放射されることを防止できる。従って、予め定めた混合器８の入力レベルまで変調信号のレベルを大きくすることができ、テレビ受像機において変調信号を復調した映像を良好に視聴することができる。また、当初から増幅器４と混合器８とを組み合わせてあるので、その設置工事が容易であるし、両者の特性のばらつきがなく、良好にアイソレーションをとることができる。
【００１３】
なお、変調信号生成器１７からの変調信号を混合入力端子１２に供給するように、混合入力端子１２は筐体１６の外面に設けられるが、ブースタ２には、出力をモニタするためのモニタ回路が設けられ、モニタ出力を外部に取り出すための出力モニタ端子を筐体１６の外面に設けてあることがあるので、この出力モニタ端子をモニタ回路と混合入力端子とのうち選択されたものに接続する選択スイッチを設け、この出力モニタ端子を混合入力端子と共用するように構成することも可能である。この場合、混合入力端子１２を設置するためのスペースを筐体１７に確保する必要性が無い。
【００１４】
上記の実施の形態では、混合器８の出力をそのまま伝送したが、混合器８の出力を図示していない別の増幅器によって増幅してから、伝送することもできる。この場合、別の増幅器も混合器８や増幅器４と共に筐体１６内に収容することが望ましい。このように別の増幅器を設けることによって、変調信号も増幅することができるので、混合器８に供給する変調信号のレベルを余り大きくする必要が無く、混合時に相互変調歪が発生することを防止することができる。
【００１５】
また、上記の実施形態では、ブースタ２の出力をテレビジョン受像機に供給したが、これに限ったものではなく、例えば共同受信システムのヘッドエンドに供給して、共同受信システムの各端末にテレビジョン放送信号と変調信号との混合信号を供給することもできる。また、上記の実施の形態では、監視ビデオカメラ１８及びＶＴＲまたはＤＶＤプレーヤ２０からのベースバンド信号を使用したが、これらのいずれか一方のみを使用することもできる。また、これら以外のベースバンド信号、例えば音楽再生装置からのベースバンド音声信号を使用することもできる。また、上記の実施形態ではアンテナ６でテレビジョン放送信号を受信したが、これに限ったものではなく、例えばＦＭラジオ放送信号を受信することもできる。
【図面の簡単な説明】
【００１６】
【図１】本発明の１実施形態のブースタの使用状態を示すブロック図である。
【符号の説明】
【００１７】
２  ブースタ
４  増幅器（増幅手段）
６  アンテナ
８  混合器
１７  変調信号生成器
【図１】
2007166236.tif 000003